(57)【特許請求の範囲】
【請求項１】
タッチパネルへのタッチ操作を検出可能なタッチ検出手段と、
前記タッチ検出手段によりタッチ位置を移動する移動操作を検出したことに応じて、表示部において第一のマークを前記移動操作に応じた量移動した位置に表示するように制御する表示制御手段と、
撮像された動画の記録中に、前記タッチ検出手段が前記移動操作に続いて行われる、タッチを離す操作であるタッチアップ操作を検出しても、撮像に関する特定の処理を行わず、
撮像された動画の記録中でない所定の状態において、前記タッチ検出手段が前記移動操作に続いて行われるタッチアップ操作を検出すると、前記タッチアップ操作が検出された位置に基づく前記特定の処理を行うように制御する制御手段とを有することを特徴とする撮像制御装置。
【請求項２】
前記特定の処理は、オートフォーカス、自動露出設定、オートホワイトバランスのいずれかであることを特徴とする請求項１に記載の撮像制御装置。
【請求項３】
前記制御手段は、撮像された動画の記録中には、前記タッチアップ操作が検出された後、所定期間内に特定の操作が検出されたことに応じて、前記タッチアップ操作が検出された位置に基づく前記特定の処理を行うように制御することを特徴とする請求項１または２に記載の撮像制御装置。
【請求項４】
前記特定の操作は前記タッチパネルへのタップ操作であることを特徴とする請求項３に記載の撮像制御装置。
【請求項５】
前記表示制御手段は、撮像された動画の記録中に、前記タッチ検出手段が前記移動操作に続いて行われる、前記タッチアップ操作を検出した後、前記移動操作に応じた前記特定の処理が行われないようにするキャンセル処理が行われたことに応じて前記第一のマークを非表示にするように制御することを特徴とする請求項３または４に記載の撮像制御装置。
【請求項６】
前記キャンセル処理は、撮像された動画の記録中に、前記タッチ検出手段が前記移動操作に続いて行われる、前記タッチアップ操作を検出した後、前記特定の操作が検出されずに、所定期間が経過したことに応じて行われることを特徴とする請求項５に記載の撮像制御装置。
【請求項７】
前記キャンセル処理は、撮像された動画の記録中に、前記タッチ検出手段が前記移動操作に続いて行われる、前記タッチアップ操作を検出した後、所定期間内に行われた前記特定の操作とは異なる第二の操作が検出されたことに応じて行われることを特徴とする請求項５に記載の撮像制御装置。
【請求項８】
タッチパネルへのタッチ操作を検出可能なタッチ検出手段と、
前記タッチ検出手段によりタッチ位置を移動する移動操作を検出したことに応じて、表示部において第一のマークを前記移動操作に応じた量移動した位置に表示するように制御する表示制御手段と、
撮像された動画の記録中に、前記タッチ検出手段が前記移動操作に続いて行われる、タッチを離す操作であるタッチアップ操作を検出しても、少なくとも所定期間は撮像に関する特定の処理を行わず、
撮像された動画の記録中でない所定の状態において、前記タッチ検出手段が前記移動操作に続いて行われるタッチアップ操作を検出したことに応じて、前記タッチアップ操作が検出された位置に基づく前記特定の処理を行うように制御する制御手段とを有することを特徴とする撮像制御装置。
【請求項９】
前記表示制御手段は、撮像された動画の記録中でない前記所定の状態において、前記タッチ検出手段が前記移動操作に続いて行われるタッチアップ操作を検出したことに応じて、前記第一のマークの表示形態を変更するように制御することを特徴とする請求項１乃至８のいずれか１項に撮像制御装置。
【請求項１０】
前記表示制御手段は、撮像された動画の記録中でない前記所定の状態において、前記タッチ検出手段が前記移動操作に続いて行われるタッチアップ操作を検出したことに応じて、前記第一のマークを前記第一のマークとは異なるマークに変えて表示をするように制御することを特徴とする請求項１乃至９のいずれか１項に撮像制御装置。
【請求項１１】
前記表示制御手段は、前記タッチ検出手段により、タッチ位置を移動する移動操作の検出する前には、前記特定の処理を行う基準となる前記表示部の位置に第二のマークを表示し、前記タッチ検出手段により、タッチ位置を移動する移動操作を検出したことに応じて、前記特定の処理を行う基準となる前記表示部の位置に前記第二のマークとは異なる表示形態である第三のマークを表示するように制御することを特徴とする請求項１乃至１０のいずれか１項に記載の撮像制御装置。
【請求項１２】
前記表示制御手段は、撮像された動画の記録中に、前記タッチ検出手段が前記移動操作に続いて行われる、前記タッチアップ操作を検出した後に、前記第一のマークを非表示にすると共に、前記移動操作の前に設定されていた前記特定の処理を行う基準となる前記表示部の位置に第二のマークを表示するように制御することを特徴とする請求項１乃至１１のいずれか１項に記載の撮像制御装置。
【請求項１３】
前記表示制御手段は、撮像された動画の記録中でない所定の状態で、前記タッチ検出手段が前記移動操作に続いて行われるタッチアップ操作を検出したことに応じて、前記タッチアップ操作が検出された位置に基づく前記表示部の位置に第二のマークを表示するように制御することを特徴とする請求項１乃至１２のいずれか１項に記載の撮像制御装置。
【請求項１４】
前記表示制御手段は、撮像された動画の記録中に、前記タッチアップ操作が検出されたことに応じて、前記タッチアップ操作によっては前記特定の処理を行わないことを示すガイドを表示するように制御することを特徴とする請求項１乃至１３のいずれか１項に記載の撮像制御装置。
【請求項１５】
接眼部を通して視認可能なファインダへ物体が接近したことを検知する接近検知手段をさらに有し、
前記表示部は、前記ファインダの中に設けられており、
前記表示制御手段は、前記接近検知手段が物体の接近を検知したことに応じて、前記表示部への表示を行うように制御することを特徴とする請求項１乃至１４のいずれか１項に記載の撮像制御装置。
【請求項１６】
前記表示制御手段は、さらに前記タッチパネルへの表示を制御可能であり、
前記表示制御手段は、前記接近検知手段が物体の接近を検知した場合には、前記タッチ検出手段によりタッチ位置を移動する移動操作を検出したことに応じて、表示部において第一のマークを前記移動操作に応じた量移動した位置に表示し、
物体が前記ファインダへ接近していない場合には、前記タッチ検出手段によりタッチ操作を検出したことに応じて、前記タッチパネルのタッチ位置にマークを表示するように制御することを特徴とする請求項１５に記載の撮像制御装置。
【請求項１７】
前記制御手段は、撮像された動画の記録中には、前記タッチアップ操作が検出されてから所定期間が経過したことに応じて、前記タッチアップ操作が検出された位置に基づく前記特定の処理を行うように制御することを特徴とする請求項１乃至７のいずれか１項に記載の撮像制御装置。
【請求項１８】
タッチ操作を受付可能な外部機器が受け付けたタッチ操作に関するコマンドを受信可能な受信手段と、
前記外部機器から、タッチ位置を移動する移動操作に関するコマンドを受信したことに応じて、表示部において第一のマークを前記移動操作に応じた量移動した位置に表示するように制御する表示制御手段と、
撮像された動画の記録中に、前記外部機器からの前記移動操作に続いて行われる、タッチを離す操作であるタッチアップ操作に関するコマンドを受信しても、撮像に関する特定の処理を行わず、
撮像された動画の記録中でない所定の状態で、前記外部機器から、前記タッチアップ操作に関するコマンドを受信したことに応じて、前記タッチアップ操作が検出された位置に基づく前記特定の処理を行うように制御する制御手段とを有することを特徴とする撮像制御装置。
【請求項１９】
タッチ操作を検知可能なタッチ検出手段と、
撮像に関する特定の処理を実行可能な撮像装置へコマンドを送信可能な送信手段と、
前記タッチ検出手段がタッチ位置を移動する移動操作を検出したことに応じて、前記移動操作の移動量に関するコマンドを前記撮像装置へ送信し、
前記タッチ検出手段が前記移動操作に続いて行われる、タッチを離す操作であるタッチアップ操作を検出したことに応じて、前記撮像装置において、撮像された動画の記録中には、撮像に関する特定の処理を行うための特定コマンドを送信せず、前記撮像装置において、撮像された動画の記録中でない所定の状態で、前記特定のコマンドを送信するように前記送信手段を制御する送信制御手段とを有することを特徴とする撮像制御装置。
【請求項２０】
前記送信制御手段は、前記撮像装置において、撮像された動画の記録中には、前記タッチ検出手段がタップ操作を検出したことに応じて前記特定のコマンドを送信するように前記送信手段を制御することを特徴とする請求項１９に記載の撮像制御装置。
【請求項２１】
請求項１９または２０に記載の撮像制御装置からのコマンドを受信可能な受信手段と、前記受信手段が、前記移動操作の移動量に関するコマンドを受信したことに応じて、第一のマークを表示するように制御する表示制御手段と、
前記受信手段が、特定のコマンドを受信したことに応じて、前記第一のマークが直前に表示されていた位置に基づく前記特定の処理を行うように制御する制御手段とをさらに有することを特徴とする撮像制御装置。
【請求項２２】
前記制御手段は、前記特定の処理を行った上で、撮像された動画を不揮発性メモリに記録するように制御することを特徴とする請求項１乃至１８、２１のいずれか１項に記載の撮像制御装置。
【請求項２３】
撮像手段により得られる動画の記録開始を指示する指示手段をさらに有することを特徴とする請求項１乃至２２のいずれか１項に記載の撮像制御装置。
【請求項２４】
前記タッチパネルへのタッチ位置を移動する移動操作を検出したことに応じて、前記移動操作に応じた量、表示部において前記第一のマークを移動した位置に表示する相対座標の設定と、前記タッチパネルへのタッチ位置に前記第一のマークを表示する絶対座標の設定をと切替可能な切替手段とをさらに有し、
前記絶対座標の設定に切り替えられた場合には、タッチを離す操作であるタッチアップ操作が検出された位置に基づく前記特定の処理を行うように制御することを特徴とする請求項１乃至１７のいずれか１項に記載の撮像制御装置。
【請求項２５】
前記所定の状態は、静止画撮影モードに設定されている状態、動画撮影モードにおいて動画の記録をしていない状態、ライブビューを表示しているが動画の記録をしていない状態の少なくともいずれか１つの状態を含むことを特徴とする請求項１乃至２３の何れか１項に記載の撮像制御装置。
【請求項２６】
タッチパネルへのタッチ操作を検出可能なタッチ検出ステップと、
前記タッチ検出ステップにおいてタッチ位置を移動する移動操作を検出したことに応じて、表示部において第一のマークを前記移動操作に応じた量移動した位置に表示するように制御する表示制御ステップと、
撮像された動画の記録中に、前記タッチ検出ステップにおいて前記移動操作に続いて行われる、タッチを離す操作であるタッチアップ操作が検出されても、撮像に関する特定の処理を行わず、
撮像された動画の記録中でない所定の状態において、前記タッチ検出ステップにおいて前記移動操作に続いて行われるタッチアップ操作を検出すると、前記タッチアップ操作が検出された位置に基づく前記特定の処理を行うように制御する制御ステップとを有することを特徴とする撮像制御装置の制御方法。
【請求項２７】
タッチパネルへのタッチ操作を検出可能なタッチ検出ステップと、
前記タッチ検出ステップにおいてタッチ位置を移動する移動操作を検出したことに応じて、表示部において第一のマークを前記移動操作に応じた量移動した位置に表示するように制御する表示制御ステップと、
撮像された動画の記録中に、前記タッチ検出ステップにおいて前記移動操作に続いて行われる、タッチを離す操作であるタッチアップ操作が検出されても、少なくとも所定期間は撮像に関する特定の処理を行わず、
撮像された動画の記録中でない所定の状態において、前記タッチ検出ステップにおいて前記移動操作に続いて行われるタッチアップ操作を検出したことに応じて、前記タッチアップ操作が検出された位置に基づく前記特定の処理を行うように制御する制御ステップとを有することを特徴とする撮像制御装置の制御方法。
【請求項２８】
タッチ操作を受付可能な外部機器が受け付けたタッチ操作に関するコマンドを受信可能な受信ステップと、
前記外部機器から、タッチ位置を移動する移動操作に関するコマンドを受信したことに応じて、表示部において第一のマークを前記移動操作に応じた量移動した位置に表示するように制御する表示制御ステップと、
撮像された動画の記録中に、前記外部機器からの前記移動操作に続いて行われる、タッチを離す操作であるタッチアップ操作に関するコマンドを受信しても、撮像に関する特定の処理を行わず、
撮像された動画の記録中でない所定の状態で、前記外部機器から、前記タッチアップ操作に関するコマンドを受信したことに応じて、前記タッチアップ操作が検出された位置に基づく前記特定の処理を行うように制御する制御ステップとを有することを特徴とする撮像制御装置の制御方法。
【請求項２９】
タッチ操作を検知可能なタッチ検出ステップと、
撮像に関する特定の処理を実行可能な撮像装置へコマンドを送信可能な送信ステップと、
前記タッチ検出ステップにおいてタッチ位置を移動する移動操作を検出したことに応じて、前記移動操作の移動量に関するコマンドを前記撮像装置へ送信し、
前記タッチ検出ステップが前記移動操作に続いて行われる、タッチを離す操作であるタッチアップ操作を検出したことに応じて、前記撮像装置において、撮像された動画の記録中には、撮像に関する特定の処理を行うための特定コマンドを送信せず、前記撮像装置において、撮像された動画の記録中でない所定の状態で、前記特定のコマンドを送信するように制御する送信制御ステップとを有することを特徴とする撮像制御装置の制御方法。
【請求項３０】
コンピュータを、請求項１乃至２５のいずれか１項に記載された撮像制御装置の各手段として機能させるためのプログラム。
【請求項３１】
コンピュータを、請求項１乃至２５のいずれか１項に記載された撮像制御装置の各手段として機能させるためのプログラムを格納したコンピュータが読み取り可能な記録媒体。
【発明の詳細な説明】
【技術分野】
【０００１】
本発明は、撮像制御装置およびその制御方法に関し、特に撮像に関する特定の処理等を行う位置を設定する技術に関する。
【背景技術】
【０００２】
近年、ユーザがファインダ内の表示部を覗きながら、撮像装置の背面にあるタッチパネルを操作することで、ＡＦ（自動合焦）位置を指示する方法が提案されている。特許文献１には、ファインダ内の表示部を覗きながらタッチパネルへの操作を行うと、タッチ操作に応じてＡＦターゲット枠を移動し、ダブルタップをするとＡＦターゲット枠の表示位置をＡＦ位置として決定することが開示されている。
【先行技術文献】
【特許文献】
【０００３】
【特許文献１】特開２０１２−２０３１４３号公報
【発明の概要】
【発明が解決しようとする課題】
【０００４】
ＡＦ処理、ＡＥ（自動露出）処理、ＷＢ（ホワイトバランス）処理等は静止画撮影でも動画撮影でも行う。例えば、ＡＦ処理に関して、静止画の撮影の場合には、ＡＦ位置を指定した後に撮影をする。動画の撮影の場合には、動画の記録の開始前にＡＦ位置を指定することもあるが、動画の記録の途中でＡＦ位置を変更することもある。特許文献１の方法を静止画の撮影時に適用すると、ＡＦターゲット枠を移動した後にダブルタップ操作をしなければＡＦ位置を指定できないため、撮影機会を逃してしまう可能性がある。この問題を解決するために、ＡＦターゲット枠が移動されたことに応じて枠の位置にＡＦ位置を移動させると、動画の記録時には所望の位置でない位置にＡＦされた画像が記録されてしまう可能性がある。
【０００５】
本発明は、上記の課題に鑑み、動画の記録中においても、動画の記録中以外の場合においても指定位置に基づいて行われる特定の処理についての、指定位置を設定する操作性を向上させた撮像制御装置の提供を目的とする。
【課題を解決するための手段】
【０００６】
上記目的を達成するために、本発明の撮像制御装置は、タッチパネルへのタッチ操作を検出可能なタッチ検出手段と、前記タッチ検出手段によりタッチ位置を移動する移動操作を検出したことに応じて、表示部において第一のマークを前記移動操作に応じた量移動した位置に表示するように制御する表示制御手段と、撮像された動画の記録中に、前記タッチ検出手段が前記移動操作に続いて行われる、タッチを離す操作であるタッチアップ操作を検出しても、撮像に関する特定の処理を行わず、撮像された動画の記録中でない所定の状態において、前記タッチ検出手段が前記移動操作に続いて行われるタッチアップ操作を検出すると、前記タッチアップ操作が検出された位置に基づく前記特定の処理を行うように制御する制御手段とを有することを特徴とする。
【発明の効果】
【０００７】
本発明によれば、動画の記録中においても、動画の記録中以外の場合においても指定位置に基づいて行われる特定の処理についての、指定位置を設定する操作性を向上させることができる。
【図面の簡単な説明】
【０００８】
【図１】第一実施形態の構成を適用可能な装置の一例としてのデジタルカメラの外観図
【図２】本実施形態の構成を適用可能な装置の一例としてのデジタルカメラの構成例を示すブロック図
【図３】第一実施形態におけるＡＦ移動処理を示すフローチャート
【図４】ＡＦ位置を移動する様子を示す図
【図５】第二実施形態の構成を適用可能な装置の一例としてのデジタルカメラの外観図
【図６】第二実施形態におけるＡＦ移動処理を示すフローチャート
【図７】第二実施形態の変形例のリモコン側のＡＦ位置移動指示処理を示すフローチャート
【図８】第二実施形態の変形例のデジタルカメラ側のＡＦ位置移動受付処理を示すフローチャート
【発明を実施するための形態】
【０００９】
以下、図面を参照して本発明の好適な実施形態を説明する。
【００１０】
図１（ａ）、（ｂ）に第一実施形態を適用可能な撮像制御装置の一例としてのデジタルカメラの外観図を示す。図１（ａ）はデジタルカメラ１００の前面斜視図であり、図１（ｂ）はデジタルカメラ１００の背面斜視図である。表示部２８は画像や各種情報を表示する表示部であり、タッチ操作を受付可能（タッチ検出可能）なタッチパネル７０ａが重畳して設けられている。シャッターボタン６１は撮影指示を行うための操作部である。モード切替スイッチ６０は各種モードを切り替えるための（切替可能な）操作部である。端子カバー４０は外部機器とデジタルカメラ１００とを接続する接続ケーブル等のコネクタ（不図示）を保護するカバーである。メイン電子ダイヤル７１は操作部７０に含まれる回転操作部材であり、このメイン電子ダイヤル７１を回すことで、シャッター速度や絞りなどの設定値の変更等が行える。電源スイッチ７２はデジタルカメラ１００の電源のＯＮ及びＯＦＦを切り替える操作部材である。サブ電子ダイヤル７３は、操作部７０に含まれる回転操作部材であり、選択枠の移動や画像送りなどを行える。十字キー７４は操作部７０に含まれ、上、下、左、右部分をそれぞれ押し込み可能な十字キー（４方向キー）である。十字キー７４の押した部分に応じた操作が可能である。ＳＥＴボタン７５は操作部７０に含まれ、押しボタンであり、主に選択項目の決定などに用いられる。ＬＶボタン（ライブビューボタン）７８は操作部７０に含まれ、静止画撮影モードにおいては、表示部２８におけるライブビュー（以下、ＬＶ）表示のＯＮとＯＦＦを切り替えるボタンである。動画撮影モードにおいては、動画撮影（記録）の開始、停止の指示に用いられる。再生ボタン７９は操作部７０に含まれ、撮影モードと再生モードとを切り替える操作ボタンである。撮影モード中に再生ボタン７９を押下することで再生モードに移行し、記録媒体２００に記録された画像のうち最新の画像を表示部２８に表示させることができる。
【００１１】
グリップ部９０は、デジタルカメラ１００を保持しながら操作をするための保持部（把持部）であり、グリップ部９０側には操作部７０がある。
【００１２】
ユーザは、ファインダ１６を覗きこむと、光学ファインダ（ＯＶＦ）を通して被写体を見ることができる（視認可能）。接眼センサ７７は、物体が１センチや２センチ等の所定距離より近い距離（所定距離以内）に接近していることを検知するための物体検知手段（接眼検知）である。例えばユーザがファインダ内表示部７６を見ようとファインダ１６に目を近付け（接眼部１６ａを覗きこむようにする）、接眼センサ７７が物体（目）の接近を検知すると、ＯＶＦを通して見える被写体に、ファインダ内表示部７６の表示が重畳して見える。また、接眼センサ７７は所定距離以上物体（目）が離れたことを検知すると、ファインダ内表示部７６からアイテム等の表示を非表示にする。また、ユーザがファインダ１６を覗きこむと、表示部２８は非表示になるが、ＡＦ位置の設定等のためのタッチパネル７０ａへのタッチ操作は受け付けることができる。このとき、グリップ部９０を保持しシャッターボタン６１に指をかけた状態で、タッチパネル７０ａへタッチ操作をすると、ファインダ内表示部７６の表示（とＯＶＦを通して見える被写体）を見ながら、ＡＦ位置の移動操作と撮影指示とを素早く行うことができる。ただし、ファインダ１６の表示は、ＯＶＦでなくても、ＥＶＦ（電子ビューファインダ）でもよい。
【００１３】
レンズユニット１５０は、デジタルカメラ１００に取り外し可能なレンズ部である。
【００１４】
図２は、本実施形態によるデジタルカメラ１００の構成例を示すブロック図である。
【００１５】
図２において、レンズユニット１５０は、交換可能な撮影レンズを搭載するレンズユニットである。レンズ１０３は通常、複数枚のレンズから構成されるが、ここでは簡略して一枚のレンズのみで示している。通信端子６はレンズユニット１５０がデジタルカメラ１００側と通信を行う為の通信端子であり、通信端子１０はデジタルカメラ１００がレンズユニット１５０側と通信を行う為の通信端子である。
【００１６】
ＡＥセンサー１７は、レンズユニット１５０、クイックリターンミラー１２を通し、フォーカシングスクリーン１３上に結像した被写体（像）の輝度を測光する。
【００１７】
クイックリターンミラー１２（以下、ミラー１２）は、露光、ライブビュー撮影、動画撮影の際にシステム制御部５０から指示されて、不図示のアクチュエータによりアップダウンされる。ミラー１２は、レンズ１０３から入射した光束をファインダ１６側と撮像部２２側とに切替えるためのミラーである。ミラー１２は通常時はファインダ１６へと光束を導くよう反射させるように配されているが、撮影が行われる場合やライブビュー表示の場合には、撮像部２２へと光束を導くように上方に跳ね上がり光束中から待避する（ミラーアップ）。またミラー１２はその中央部が光の一部を透過できるようにハーフミラーとなっており、光束の一部を、焦点検出を行うための焦点検出部１１に入射するように透過させる。
【００１８】
撮影者は、ペンタプリズム１４とファインダ１６を介して、フォーカシングスクリーン１３上に結合された像を観察することで、レンズユニット１５０を通して得た被写体の光学像の焦点状態や構図の確認が可能となる。
【００１９】
ファインダ内表示部７６は、レンズ１０３からファインダ１６までの光路上に配置された表示部であり、システム制御部５０を介して、現在ＡＦ位置を示す枠や、カメラの設定状態を表すアイコン等（アイテム、マーク、記号等）が表示される。フォーカシングスクリーン１３とファインダ内表示部７６は近接した位置にあり、それぞれの表示を一度に確認できるように重ねて配置される。焦点検出部１１（ＡＦセンサー）は、撮像画像よりシステム制御部５０にデフォーカス量情報を出力する位相差検出方式のＡＦセンサーである。システム制御部５０は通信端子６，１０を介して、レンズユニット１５０を制御可能であり、ＡＦ駆動回路３を介して、デフォーカス量情報に基づいて位相差ＡＦを行い、レンズ１０３の位置を変位させることで位相差ＡＦを行う（ＡＦ実行可能）。ＡＦの方法は、位相差ＡＦでなくてもよく、コントラストＡＦでもよい。
【００２０】
撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。
【００２１】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００２２】
表示部２８は画像を表示するための背面モニタであり、画像を表示するディスプレイであれば液晶方式に限らず、有機ＥＬなど他の方式のディスプレイであってもよい。
【００２３】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。また、メモリ３２は画像表示用のメモリ（ビデオメモリ）を兼ねている。Ｄ／Ａ変換器１９は、メモリ３２に格納されている画像表示用のデータをアナログ信号に変換して表示部２８やファインダ内表示部７６に供給する。こうして、メモリ３２に書き込まれた表示用の画像データはＤ／Ａ変換器１９を介して表示部２８やファインダ内表示部７６により表示される。表示部２８やファインダ内表示部７６は、ＬＣＤ等の表示器上に、Ｄ／Ａ変換器１９からのアナログ信号に応じた表示を行う。Ａ／Ｄ変換器２３によって一度Ａ／Ｄ変換されメモリ３２に蓄積されたデジタル信号をＤ／Ａ変換器１９においてアナログ変換する。さらに、表示部２８（ファインダ内の表示がＥＶＦである場合にはＥＶＦ）に逐次転送して表示することで、電子ビューファインダとして機能し、スルー画像表示（ライブビュー表示）を行える。
【００２４】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００２５】
システム制御部５０は、デジタルカメラ１００全体を制御する。前述した不揮発性メモリ５６に記録されたプログラムを実行することで、後述する本実施形態の各処理を実現する。システムメモリ５２には、システム制御部５０の動作用の定数、変数、不揮発性メモリ５６から読み出したプログラム等を展開され、ＲＡＭが用いられる。また、システム制御部５０はメモリ３２、Ｄ／Ａ変換器１９、表示部２８、ファインダ内表示部７６等を制御することにより表示制御も行う。
【００２６】
システムタイマー５３は各種制御に用いる時間や、内蔵された時計の時間を計測する計時部である。
【００２７】
モード切替スイッチ６０、シャッターボタン６１、操作部７０はシステム制御部５０に各種の動作指示を入力するための操作手段である。
【００２８】
モード切替スイッチ６０は、システム制御部５０の動作モードを撮影モード、再生モード等のいずれかに切り替える。また、撮影シーン別の撮影設定となる各種シーンモード、プログラムＡＥモード、カスタムモード等がある。モード切替スイッチ６０で、メニュー画面に含まれるこれらのモードのいずれかに直接切り替えられる。あるいは、メニュー画面に一旦切り換えた後に、メニュー画面に含まれるこれらのモードのいずれかに、他の操作部材を用いて切り替えるようにしてもよい。
【００２９】
第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００３０】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００３１】
操作部７０の各操作部材は、表示部２８に表示される種々の機能アイコンを選択操作することなどにより、場面ごとに適宜機能が割り当てられ、各種機能ボタンとして作用する。操作部７０には、少なくとも以下の操作部が含まれる。シャッターボタン６１、メイン電子ダイヤル７１、電源スイッチ７２、サブ電子ダイヤル７３、十字キー７４、ＳＥＴボタン７５、ＬＶボタン７８、再生ボタン７９。利用者は、表示部２８に表示されたメニュー画面と、上下左右の４方向ボタンやＳＥＴボタンとを用いて直感的に各種設定を行うことができる。
【００３２】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。電源スイッチ７２は、電源のＯＮとＯＦＦの切替操作を受け付ける。
【００３３】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００３４】
通信部５４は、無線または有線ケーブルによって接続し、映像信号や音声信号の送受信を行う。通信部５４は無線ＬＡＮ（Ｌｏｃａｌ  Ａｒｅａ  Ｎｅｔｗｏｒｋ）やインターネットとも接続可能である。通信部５４は撮像部２２で撮像した画像（スルー画像を含む）や、記録媒体２００に記録された画像を送信可能であり、また、外部機器から画像データやその他の各種情報を受信（受信可能）することができる。
【００３５】
なお操作部７０の一つとして、表示部２８に対する接触を検知可能なタッチパネル７０ａを有する。タッチパネル７０ａと表示部２８とは一体的に構成することができる。例えば、タッチパネル７０ａを光の透過率が表示部２８の表示を妨げないように構成し、表示部２８の表示面の上層に取り付ける。そして、タッチパネルにおける入力座標と、表示部２８上の表示座標とを対応付ける。これにより、恰もユーザが表示部２８上に表示された画面を直接的に操作可能であるかのようなＧＵＩ（グラフィカルユーザーインターフェース）を構成することができる。このように、タッチ操作が行われた位置と表示部２８の位置とを対応づけて指示を受け付ける設定を絶対座標設定という。
【００３６】
また、絶対座標設定とは異なり、表示部２８の所定の位置から、タッチ座標ではなく、タッチ操作の移動量や移動方向等に応じて移動した位置（移動操作に応じた量移動した位置）への指示を受け付ける設定を相対座標設定という。
【００３７】
ファインダ内表示部７６を見ながら操作をする場合には、絶対座標設定でタッチ操作をすると、タッチパネル７０ａ（表示部２８）を見ないでタッチすることになり、所望の位置からずれた位置に誤ってタッチ操作をしてしまう可能性が高い。一方で、相対座標設定でタッチ操作をすると、タッチ操作の位置ではなく移動量で移動指示をするので、ファインダ内表示部７６に表示される操作対象の位置を見ながら所望の位置まで、移動する操作をすれば所望の位置への指示をすることができる。絶対座標設定と相対座標設定はメニュー画面のタッチパッド設定において設定することができる。相対座標設定の場合に、表示部２８をユーザが見ている状態で操作をすると、タッチ位置と指示位置がずれて操作性がよくない可能性がある。よって、接眼センサ７７が物体の接近を検知した時に相対座標でのタッチ操作を受け付けると、表示部２８をみている場合にもファインダ内表示部７６を見ている場合にも操作性がよい。なお、表示部２８に画像を表示しないが、タッチパネル７０ａがタッチ操作を受け付ける機能をタッチパッド機能と称する。
【００３８】
システム制御部５０はタッチパネル７０ａへの以下の操作、あるいは状態を検出できる。
・タッチパネルにタッチしていなかった指やペンが新たにタッチパネルにタッチしたこと。すなわち、タッチの開始（以下、タッチダウン（Ｔｏｕｃｈ−Ｄｏｗｎ）と称する）。
・タッチパネルを指やペンでタッチしている状態であること（以下、タッチオン（Ｔｏｕｃｈ−Ｏｎ）と称する）。
・タッチパネルを指やペンでタッチしたまま移動していること（以下、タッチムーブ（Ｔｏｕｃｈ−Ｍｏｖｅ）と称する）。
・タッチパネルへタッチしていた指やペンを離したこと。すなわち、タッチの終了（以下、タッチアップ（Ｔｏｕｃｈ−Ｕｐ）と称する）。
・タッチパネルに何もタッチしていない状態（以下、タッチオフ（Ｔｏｕｃｈ−Ｏｆｆ）と称する）。
【００３９】
タッチダウンが検出されると、同時にタッチオンであることも検出される。タッチダウンの後、タッチアップが検出されない限りは、通常はタッチオンが検出され続ける。タッチムーブが検出されるのもタッチオンが検出されている状態である。タッチオンが検出されていても、タッチ位置が移動していなければタッチムーブは検出されない。タッチしていた全ての指やペンがタッチアップしたことが検出された後は、タッチオフとなる。
【００４０】
これらの操作・状態や、タッチパネル上に指やペンがタッチしている位置座標は内部バスを通じてシステム制御部５０に通知され、システム制御部５０は通知された情報に基づいてタッチパネル上にどのような操作が行なわれたかを判定する。タッチムーブについてはタッチパネル上で移動する指やペンの移動方向についても、位置座標の変化に基づいて、タッチパネル上の垂直成分・水平成分毎に判定できる。タッチオンが検出されてからタッチムーブせずに、素早タッチアップする一連の操作をタップという。またタッチパネル上をタッチダウンから一定のタッチムーブを経てタッチアップをしたとき、ストロークを描いたこととする。素早くストロークを描く操作をフリックと呼ぶ。フリックは、タッチパネル上に指をタッチしたままある程度の距離だけ素早く動かして、そのまま離すといった操作であり、言い換えればタッチパネル上を指ではじくように素早くなぞる操作である。所定距離以上を、所定速度以上でタッチムーブしたことが検出され、そのままタッチアップが検出されるとフリックが行なわれたと判定できる。また、所定距離以上を、所定速度未満でタッチムーブしたことが検出された場合はドラッグが行なわれたと判定するものとする。タッチパネルは、抵抗膜方式や静電容量方式、表面弾性波方式、赤外線方式、電磁誘導方式、画像認識方式、光センサ方式等、様々な方式のタッチパネルのうちいずれの方式のものを用いても良い。方式によって、タッチパネルに対する接触があったことでタッチがあったと検出する方式や、タッチパネルに対する指やペンの接近があったことでタッチがあったと検出する方式ものがあるが、いずれの方式でもよい。
【００４１】
図３を用いて第一実施形態におけるＡＦ移動処理について説明する。この処理は、不揮発性メモリ５６に記録されたプログラムをシステムメモリ５２に展開してシステム制御部５０が実行することで実現する。なお、この処理は、デジタルカメラ１００に電源が入り、撮影モードに切り替えられると開始する。
【００４２】
Ｓ３００では、システム制御部５０は、ＡＦ座標Ｂを初期化してシステムメモリ５２に記録する。初期化する座標の位置は、図４（ａ）のように検出された人物の顔のある位置、もしくは撮像領域の中央にする。ただし、ファインダ内表示部７６に実際に表示されているのは、ＡＦ枠４０１または変更中ＡＦ枠４０２であり、被写体はＯＶＦを通して視認可能である。ＯＶＦではなくＥＶＦでの表示を行う場合には、撮像部２２で得られた撮像画像にＡＦ枠４０１を重畳して表示する。図４（ａ）はＡＦ座標Ｂ（Ｘｂ、Ｙｂ）にＡＦ枠４０１が表示された様子を示している。図４（ａ）〜（ｃ）は、ＡＦ位置移動処理を行っている際のファインダ内表示部７６の表示の一例と、それぞれのファインダ内表示部７６の表示に応じたタッチパネル７０ａにおけるタッチ操作の様子を示したものである。
【００４３】
Ｓ３０１では、システム制御部５０は、接眼センサ７７が接眼検知（接近検知）をしたか（しているか）否かを判定する。接眼検知をしたと判定した場合は、Ｓ３０２へ進み、そうでない場合は、Ｓ３０３へ進む。
【００４４】
Ｓ３０２では、システム制御部５０は、ファインダ内表示部７６の現在のＡＦ位置（Ｓ３００で記録したＡＦ座標Ｂまたは後述するＳ３３４またはＳ３３３で設定されたＡＦ座標Ｂ）にＡＦ枠４０１を表示する。すなわち、ＡＦ位置移動処理において既にＡＦ位置の設定をし、Ｓ３０２に戻ってきた場合には設定された位置をＡＦ座標Ｂとし、電源をつけて初めて撮影モードに切り替えた場合には、検出された顔位置や撮像領域の中央位置をＡＦ座標Ｂとする。さらに、ＡＦ座標ＢにＡＦ枠４０１（マーク、指標）を表示する。
【００４５】
Ｓ３０３では、システム制御部５０は、表示部２８のＡＦ座標Ｂの位置にＡＦ枠４０１を表示する（不図示）。
【００４６】
Ｓ３０４では、システム制御部５０は、ＡＦ座標Ｂの位置にＡＦする処理をする。ただし、必ずしもＳ３０４でＡＦ処理をしなくてもよく、ユーザがコンティニュアスＡＦを設定している時にのみＳ３０４でのＡＦ処理を行うようにしてもよい。
【００４７】
Ｓ３０５では、システム制御部５０は、動画の撮影開始指示がされたか否かを判定する。動画の撮影開始指示は、ＬＶボタン７８の押下によって行うことができる。動画の撮影開始指示がされたと判定した場合は、Ｓ３０６へ進み、そうでない場合は、Ｓ３０８へ進む。
【００４８】
Ｓ３０６では、システム制御部５０は、動画の記録を開始（記録開始）し、撮像部２２により得られた画像を記録媒体２００に動画として記録する。このとき、ユーザの設定したＡＦ位置でＡＦ処理がされている場合には、ユーザ所望の被写体にピントのあった動画が記録される。
【００４９】
Ｓ３０７では、システム制御部５０は、タッチパネル７０ａへのタッチダウンがされたか否かを判定する。タッチダウンがされたと判定した場合は、Ｓ３１０へ進み、そうでない場合は、Ｓ３０１へ戻る。
【００５０】
Ｓ３０８では、システム制御部５０は、静止画撮影指示がされたか否かを判定する。静止画撮影指示は、シャッターボタン６１の押下により行うことができる。静止画撮影指示がされたと判定した場合は、Ｓ３０９へ進み、そうでない場合は、Ｓ３０７へ進む。
【００５１】
Ｓ３０９では、システム制御部５０は、撮像部２２により得られた画像を記録媒体２００に記録する。このとき、ＳＷ１の押下が検出されたことに応じて、設定されているＡＦ座標ＢにおいてＡＦ処理を行い、ＳＷ２の押下が検出されたことに応じて、ＡＦ座標ＢでＡＦ処理された撮像画像が記録される。つまり、撮像画像ではユーザ所望の被写体にピントのあった画像が記録される。
【００５２】
Ｓ３１０では、システム制御部５０は、設定されたタッチパッド設定が相対座標設定であるか否かを判定する。相対座標設定であると判定した場合は、Ｓ３１１へ進み、そうでない場合は、Ｓ３３２へ進む。
【００５３】
Ｓ３１１では、システム制御部５０は、接眼センサ７７が接眼検知をしたか（しているか）否かを判定する。接眼検知をしたと判定した場合は、Ｓ３１２へ進み、そうでない場合は、Ｓ３３２へ進む。このように、タッチパッド設定が相対座標設定であり、かつ接眼センサ７７が接眼検知をしている場合にはＳ３１２〜Ｓ３２５の相対座標入力でのＡＦ位置移動処理に進む。一方で、タッチパッド設定が絶対座標設定、または相対座標設定であるが接眼検知していない場合には、Ｓ３３２〜Ｓ３３３の絶対座標入力でのＡＦ位置移動処理に進む。
【００５４】
Ｓ３１２では、システム制御部５０は、システムタイマー５３で時間Ｔの計測を開始する。時間Ｔは、タッチパネル７０ａが検知したタッチ操作が、タッチ時間の短いタップ操作であるか否かを判定するための時間である。つまり、タッチダウンが検出されてからタッチムーブせずにタッチアップが検出されるまでの時間の計測を開始する。
【００５５】
Ｓ３１３では、システム制御部５０は、タッチダウン座標Ｏを取得し、システムメモリ５２に記録する。タッチパネル７０ａの座標は図４（ａ）のように横方向にｘ軸、縦方向にｙ軸が設けられており、原点は左上にある。タッチダウン座標Ｏを（Ｘ０、Ｙ０）とする。
【００５６】
Ｓ３１４では、システム制御部５０は、タッチムーブがされたか否かを判定する。タッチダウンが検出された点から所定距離以上、タッチした状態での移動が検出された場合にタッチムーブされたと判定する。所定距離とは例えば１センチや０．５センチである。所定距離未満のタッチムーブであれば、ユーザがタップ操作を行おうとした過程で意図せずタッチ位置が移動してしまったものとしてタッチムーブとして検出しない。タッチムーブがされたと判定した場合は、Ｓ３１５へ進み、そうでない場合は、Ｓ３２８へ進む。
【００５７】
Ｓ３１５では、システム制御部５０は、Ｓ３１２で計測を開始した時間Ｔをリセットし、時間Ｔを０とする。タッチムーブが検出された後に（続いて）、タッチアップ（タッチアップ操作）がされてもタッチムーブの終了として検出する。そのため、タップであるか否かを判定するための時間Ｔの計測をリセットする。
【００５８】
Ｓ３１６では、システム制御部５０は、ＡＦ座標Ｂに表示されているＡＦ枠をＡＦ位置変更中であることを示す変更中ＡＦ枠４０２に変えて表示する。図４（ｂ）は、タッチムーブが検出された後のファインダ内表示部７６の表示例と、対応するタッチパネル７０ａでのタッチ操作の様子の一例を示したものである。図４（ｂ）に示すように、ＡＦ座標Ｂに表示されていたＡＦ枠４０１をＡＦ位置変更中であることを示す変更中ＡＦ枠４０２に変える。すなわち、ＡＦ座標Ｂに変更中ＡＦ枠４０２を表示する。このとき、ＡＦ処理を行う位置は変更中ＡＦ枠４０２が表示されている位置のまま、ＡＦ位置はＳ３０２またはＳ３０３のときから変わらない。
【００５９】
Ｓ３１７では、システム制御部５０は、現在のタッチ位置の座標（タッチ座標Ｍ（Ｘｍ、Ｙｍ））を取得する。
【００６０】
Ｓ３１８では、システム制御部５０は、タッチダウン座標Ｏとタッチ座標Ｍから相対座標Ｃ（Ｘｃ、Ｙｃ）＝（（Ｘｍ−Ｘ０）、（Ｙｍ−Ｙ０））を算出する。図４（ｂ）におけるタッチダウン位置の相対座標Ｃは（（Ｘ１−Ｘ０）、（Ｙ１−Ｙ０））であり、タッチダウン座標Ｏからタッチ座標Ｍの距離Ｌは、ａ１である。
【００６１】
Ｓ３１９では、システム制御部５０は、ＡＦ座標ＢとＳ３１８で求めた相対座標Ｃから仮ＡＦ座標Ｐを算出し、仮ＡＦ座標Ｐに仮ＡＦ枠４０３を表示する。仮ＡＦ座標ＰはＡＦ座標Ｂと相対座標Ｃとを合計した座標であり、（（Ｘｂ＋Ｘｃ）、（Ｙｂ＋Ｙｃ））である。図４（ｂ）に示すように、算出された仮ＡＦ座標Ｐの位置には仮ＡＦ枠４０３を表示する。仮ＡＦ枠４０３が表示されている位置には未だＡＦ処理はされていないが、後述するタッチアップ、またはタップが検出されたことに応じて仮ＡＦ枠４０３が表示されている位置にＡＦ処理がされる。
【００６２】
Ｓ３２０では、システム制御部５０は、タッチパネル７０ａからのタッチアップがされたか否かを判定する。タッチアップがされたと判定した場合は、Ｓ３２１へ進み、そうでない場合は、Ｓ３１７へ進む。
【００６３】
Ｓ３２１では、システム制御部５０は、動画の撮影中（動画記録中）であるか否かを判定する。動画の撮影中（記録中）であると判定した場合は、Ｓ３２２へ進み、そうでない場合は、Ｓ３３４へ進む。
【００６４】
Ｓ３２２では、システム制御部５０は、システムタイマー５３で時間Ｓの計測を開始する。時間Ｓは、仮ＡＦ位置を移動するタッチムーブに続いてタッチアップがされた後に、後述するＡＦ位置を決定する操作がされずに、所定時間以上経過したか否かを判定するための時間である。所定時間経過すると、仮ＡＦ枠４０３が表示されている座標はリセットされ、ＡＦ位置の移動操作が無かったものとしてもとの状態に（Ｓ３０１）戻る。また、このとき、タップ操作を行うことでＡＦ位置を決定できることを示すガイドをファインダ内表示部７６に表示するようにしてもよい。
【００６５】
Ｓ３２３では、システム制御部５０は、時間Ｓが所定時間βより長い時間経過したか否かを判定する。所定時間βより長い時間経過したと判定した場合は、Ｓ３２４へ進み、そうでない場合は（所定期間内である場合）、Ｓ３２６へ進む。所定時間βは、１０秒や１２秒といった長さである。
【００６６】
Ｓ３２４では、システム制御部５０は、図４（ｂ）においてＡＦ座標Ｂに表示していた変更中ＡＦ枠４０２をＡＦ枠４０１に変え、図４（ａ）のようにＡＦ座標ＢにＡＦ枠４０１を表示する。また、仮ＡＦ枠４０３を非表示にする。Ｓ３２２からＡＦ位置を決定する操作がされないまま所定時間より長い時間経過した場合には、ユーザが移動操作をした仮ＡＦ座標Ｐの位置には、ＡＦ位置を移動させる意思が無い、またはもともとのＡＦ位置のままでよいとした可能性が高い。よって、仮ＡＦ座標Ｐの位置にＡＦ位置を移動することなく、ＡＦ位置はＡＦ座標Ｂのままにする。
【００６７】
Ｓ３２５では、システム制御部５０は、時間Ｓをリセットし、Ｓ＝０にする。
【００６８】
Ｓ３２６では、システム制御部５０は、タッチパネル７０ａへのタッチダウンがされたか否かを判定する。タッチダウンがされたと判定した場合は、Ｓ３２７へ進み、そうでない場合は、Ｓ３２３へ戻る。
【００６９】
Ｓ３２７では、システム制御部５０は、時間Ｓをリセットし、Ｓ＝０にする。
【００７０】
Ｓ３２８では、システム制御部５０は、タッチパネル７０ａからのタッチアップがされたか否かを判定する。タッチアップがされたと判定した場合は、Ｓ３２９へ進み、そうでない場合は、Ｓ３１４へ戻る。
【００７１】
Ｓ３２９では、システム制御部５０は、時間Ｔが所定時間αより長い時間経過したか否かを判定する。所定時間αより長い時間経過したと判定した場合は、Ｓ３３１へ進み、そうでない場合（すなわちタッチ操作であった場合）は、Ｓ３３０へ進む。所定時間αは、１秒や０．５秒といった長さである。
【００７２】
Ｓ３３０では、システム制御部５０は、時間Ｔをリセットし、Ｔ＝０にする。
【００７３】
Ｓ３３１では、システム制御部５０は、図４（ｂ）においてＡＦ座標Ｂに表示していた変更中ＡＦ枠４０２をＡＦ枠４０１に変え、図４（ａ）のようにＡＦ座標ＢにＡＦ枠４０１を表示する。また、仮ＡＦ枠４０３を非表示にする。つまり、タッチ時間が所定時間α未満のタップ操作ではなく、所定時間αよりも長い時間タッチしている（長押し）場合には、仮ＡＦ座標ＰにＡＦ位置を移動することなく、タッチ操作（タッチ位置の移動が検出される）前のＡＦ座標Ｂのままとする。
【００７４】
Ｓ３３２〜Ｓ３３３の処理は、タッチパッド設定が絶対座標設定の場合、もしくは相対座標設定であるが、接眼センサ７７が接眼を検知していない場合に絶対座標でタッチ操作を受け付ける場合の処理である。絶対座標の場合には、タッチダウンした位置でＡＦ処理を行うようにする。
【００７５】
Ｓ３３２では、システム制御部５０は、タッチダウン座標ＯにＡＦ枠４０１を表示し、ＡＦ座標Ｂ（＝タッチダウン座標Ｏ）としてシステムメモリ５２に記録する。図４（ｄ）は、絶対座標で表示部２８に画像が表示されている場合のＡＦ枠移動の様子を示した図である。接眼していない状態では、表示部２８のＡＦ処理をしたい被写体が表示されている位置にタッチ操作を行えばよい。
【００７６】
Ｓ３３３では、システム制御部５０は、Ｓ３３２でシステムメモリ５２に記録したＡＦ座標Ｂの位置でＡＦ処理を行う。
【００７７】
Ｓ３３４〜Ｓ３３６は、相対座標でのＡＦ位置移動操作を受け付けた場合の移動された位置でのＡＦ処理に関する処理を示す。
【００７８】
Ｓ３３４では、システム制御部５０は、仮ＡＦ座標Ｐに表示されていた仮ＡＦ枠４０３をＡＦ枠４０１に変えて表示をする。また、ＡＦ座標Ｂとしてシステムメモリ５２に記録する座標をＳ３００または直前のＳ３３４で記録した座標から、仮ＡＦ枠座標Ｐの座標に書き替える。
【００７９】
Ｓ３３５では、システム制御部５０は、ＡＦ座標Ｂに表示中の変更中ＡＦ枠４０２を非表示にする。図４（ｃ）はＡＦ位置が変更された後の、ファインダ内表示部７６とタッチパネル７０ａの様子を示したものであり、図４（ａ）のＡＦ座標ＢからＡＦ座標が移動している。動画撮影の場合には、図４（ｂ）のように仮ＡＦ枠４０３の移動後タップ操作（ＡＦ位置を決定する操作）を行うと、ＡＦ位置が決定される。静止画撮影や、動画記録の待機中には、図４（ｂ）のように仮ＡＦ枠４０３の移動後にタッチアップをすると、ＡＦ位置が決定される。
【００８０】
Ｓ３３６では、システム制御部５０は、Ｓ３３４でシステムメモリ５２に記録したＡＦ座標Ｂの位置にＡＦ処理を行う。
【００８１】
Ｓ３３７では、システム制御部５０は、動画撮影の終了指示がされたか否かを判定する。動画撮影の終了指示は、動画の撮影中にＬＶボタン７８の押下によって行うことができる。ただし、動画の撮影中でない場合にはＳ３３７の判定は行わない。動画の終了指示がされたと判定した場合は、Ｓ３３８へ進み、そうでない場合は、Ｓ３３９へ進む。
【００８２】
Ｓ３３８では、システム制御部５０は、動画の終了処理をする。動画の終了処理は、撮影動画ファイルの属性情報、フレーム間情報、サムネイルの作成、圧縮処理等を行い作成した動画ファイルを再生できるような処理を行う。これらの情報は記録媒体２００に動画ファイルと共に保存される。
【００８３】
Ｓ３３９では、システム制御部５０は、終了操作があったか否かを判定する。終了操作は、再生モードへの切り替える操作や、電源を切る操作等である。終了操作があったと判定した場合は、ＡＦ位置移動処理を終了し、そうでない場合にはＳ３０１へ戻る。
【００８４】
以上、説明した実施形態によれば、動画記録中にも、そうでない場合にも操作性良くＡＦ位置の変更をすることができる。タッチ操作でのＡＦ位置の変更を行う際に動画の記録中であれば（Ｓ３２１でＹｅｓであれば）、移動操作を行ってもすぐにＡＦ処理を行わずに決定操作に応じてＡＦ処理を行う位置を変更する。つまり、動画の記録をしている途中で意図しないタイミングでＡＦ位置が変更されたり、移動操作の途中の意図しない位置でＡＦ処理がされてしまう可能性が低減する。移動操作後にタップ操作を行うことで、所望のタイミングで仮ＡＦ枠４０３の表示される位置にＡＦ処理を行うことができるので、所望のタイミングと位置でＡＦ位置を変更した動画をより得やすくなる。
【００８５】
また、動画記録中以外の（実施形態では、静止画の撮影前後、動画記録待機中であり、Ｓ３２１でＮｏと判定）場合では、ＡＦ位置の移動操作を行ってタッチパネルからタッチアップしたことに応じて、変更された位置でＡＦ処理を行う（Ｓ３３４〜Ｓ３３６）。つまり、仮ＡＦ枠４０３の移動後タッチアップするとすぐに、仮ＡＦ枠４０３の位置にＡＦ処理がされる（ＡＦ枠４０１に変わる）ので、素早くＡＦ位置を変更することができる。素早くＡＦ位置の変更をすることができると、ＡＦ位置の設定中に撮影機会を逃してしまう可能性が低減する。
【００８６】
このように、動画の記録中か否かで、ＡＦ位置を変更するタイミングを変えるので、操作性良く、ＡＦ位置の変更操作を行うことができる。
【００８７】
また、ＡＦ枠４０１、変更中ＡＦ枠４０２、仮ＡＦ枠４０３のように、ＡＦ位置に関する位置を示すための枠の表示形態を変えて表示する。そのため、ユーザは実際にＡＦ処理が行われている位置（ＡＦ枠４０１、変更中ＡＦ枠４０２）と、これからＡＦ位置として設定しようとしている位置（仮ＡＦ枠４０３）とを容易に把握することができる。
【００８８】
なお、上述の第一実施形態では、Ｓ３２３において所定時間βが経過したら、ＡＦ位置はＡＦ座標Ｂのままにすることを説明したが、キャンセル操作を受け付けるようにしてもよい。仮ＡＦ枠の表示されている位置がユーザの意図しない位置である場合には、素早く仮ＡＦ枠の位置をキャンセル（キャンセル処理）できるようにして、新たにＡＦ枠の設定を可能にする、もしくは移動操作前の位置に戻せるようにする。つまり、ユーザがタッチアップをした後、所定時間β待たなくてもロングタッチ（２秒や３秒タッチし続ける）やマルチタッチ（２点や３点でのタッチ）等の所定のタッチをすれば、キャンセルできるようにする。このとき、所定時間β経過しても、ユーザがキャンセル操作を行わなければユーザが仮ＡＦ枠の表示されている位置で良いと認識しているとして、所定時間β経過後にＡＦ座標を決定（Ｓ３３４以降の処理）実行するようにしてもよい。
【００８９】
なお、Ｓ３２４では、仮ＡＦ枠４０３を非表示にすると説明したがこれに限らず、枠の色、形、大きさ等を変更してもよい。仮ＡＦ枠４０３の表示形態が変更されるとユーザは、ＡＦ位置が移動中ではなく決定された、もしくは、移動中だった仮ＡＦの位置がキャンセルされ元の位置に戻ったことが分かる。ただし、表示形態が変わっても表示される位置は変わらない。
【００９０】
＜第二実施形態＞
第一実施形態のファインダ内表示部７６を覗きながら、デジタルカメラ１００の表示部２８（タッチパネル７０ａ）へのタッチ操作で、ＡＦ位置の移動処理をすることを説明した。第二実施形態では、離れた位置にあるリモコンからの指示を受け付けてＡＦ位置の変更をする場合について説明する。このとき、リモコン操作側では離れた位置にあるデジタルカメラ側、もしくは表示パネル側の表示部を見ながら操作をするものとする。リモート撮影や、ＡＦや露出等の複数のパラメータを複数の人が並行して設定を操作する場合には、リモコン５０４を用いて操作ができると、それぞれの操作がしやすい。
【００９１】
第二実施形態の実施形態を適用可能な撮像制御装置の一例としてのデジタルカメラ３００を図５に示す。
【００９２】
図５（ａ）は、本実施形態におけるリモコン５０４とデジタルカメラ３００が無線で通信している様子を示している。デジタルカメラ３００の構成に関しては第一実施形態の図２と同様である。第一実施形態の図１のデジタルカメラ１００は表示部２８がデジタルカメラ１００の背面に設けられていたが、デジタルカメラ３００の表示部５０１及びタッチパネル５０２ａはデジタルカメラ３００の側面に設けられる。また、デジタルカメラ３００にはＯＶＦではなくＥＶＦ５１２が、デジタルカメラ３００の本体部から離れた位置に設けられており、本体部にある撮像部２２で得られた撮像画像を表示可能である。
【００９３】
デジタルカメラ３００側には、操作部５０２が設けられており、第一実施形態の操作部７０と同様に、システム制御部５０に各種の動作指示を入力するための操作手段である。通信部５０６は第一実施形態の通信部５４と同様のリモコンとの無線（または有線）での通信をするための通信部である。
【００９４】
図５（ａ）には、リモコン５０４を示しており、図５（ｂ）にはさらにリモコン５０４の構成例を示している。リモコン５０４側にあるタッチパネル５０８ａは、タッチ操作を検出可能なタッチパネルであり、第一実施形態のタッチパネル７０ａと同様に、タッチ操作やタッチ位置の座標を検出することができる。また、リモコン５０４に設けられる操作部５０８は第一実施形態の操作部７０と同様に、システム制御部５０９に各種の動作指示を入力するための操作手段である。また、通信部５０３はデジタルカメラ３００側と無線または有線で通信可能な通信部であり、タッチパネル５０８ａで検出されたタッチ操作やタッチ位置の座標は、通信部５０３を介してデジタルカメラ３００側に送信（送信制御）することができる。システムメモリ５１０には、システムメモリ５１０の動作用の定数、変数、不揮発性メモリ５６から読み出したプログラム等を展開され、ＲＡＭが用いられる。不揮発性メモリ５１１は、電気的に消去・記録可能なメモリであり、例えばＥＥＰＲＯＭ等が用いられる。また不揮発性メモリ５６には、システム制御部５０の動作用の定数、プログラム等が記憶される。タッチパネル５０８ａにはデジタルカメラ３００の撮像部２２によって得られた撮像画像を表示せず、リモコン５０４を操作するユーザは、デジタルカメラ３００側の表示部２８の映像データを見ながら操作を行うものとする。リモコン５０４側にも映像を表示すると、デジタルカメラ３００とリモコン５０４とでやり取りするデータ量が肥大化するため、データ量が小さい方が、データ送受信の遅延がより少なくて済む。また、リモコン５０４側のタッチパネル５０８ａにおいて検出されたタッチ位置の絶対座標ではなく、相対値を送受信するものとする。
【００９５】
図６を用いて第二実施形態におけるＡＦ位置移動処理について説明する。この処理は、不揮発性メモリ５６に記録されたプログラムをシステムメモリ５２に展開してシステム制御部５０が実行することで実現する。なお、この処理は、デジタルカメラ３００とリモコン５０４に電源が入り、撮影モードに切り替えられ、リモコン５０４とデジタルカメラ３００との通信が確立すると開始する。つまり、リモコン側のタッチパネル５０８ａでタッチ操作を受付可能になり、デジタルカメラ側でリモコンからの指示を受付、リモコン側の指示に応じてＡＦ処理ができるようになると開始する。なお、本実施形態では、リモコン側からの指示に応じてＡＦ位置移動処理をするものとして説明するが、第一実施形態で説明したように、デジタルカメラ側の表示部（タッチパネル）での指示も受け付けてもよい。なお、第二実施形態では、第一実施形態のファインダ内表示部７６と第二実施形態のＥＶＦ５１２とを同様に扱う。
【００９６】
Ｓ６００では、システム制御部５０は、図３のＳ３００と同様にＡＦ座標Ｂを初期化してシステムメモリ５２に記録する。
【００９７】
Ｓ６０１は、システム制御部５０は、表示部５０１とＥＶＦ５１２のＡＦ座標Ｂの位置にＡＦ枠４０１を表示する。
【００９８】
Ｓ６０２では、システム制御部５０は、Ｓ６０１で記録されたＡＦ座標ＢにＡＦする処理をする。
【００９９】
Ｓ６０３〜Ｓ６０４の処理は、図３のＳ３０５〜Ｓ３０６の処理と同様の処理である。
【０１００】
Ｓ６０５〜Ｓ６０６の処理は、図３のＳ３０８〜Ｓ３０９の処理と同様の処理である。
【０１０１】
Ｓ６０７では、システム制御部５０は、通信部５０６を介してリモコン５０４からのなんらかの指示があったか否かを判定する。リモコン５０４からの指示があったと判定した場合は、Ｓ６０８へ進み、そうでない場合は、Ｓ６０３へ戻る。なお、リモコン５０４側では、ユーザからのタッチパネル５０８ａまたは操作部５０８への操作があった場合に、通信部５０３を介してデジタルカメラ３００側に指示を送信するものとする。
【０１０２】
Ｓ６０８では、システム制御部５０は、リモコン５０４から受け付けた指示がＡＦ位置移動指示であったか否かを判定する。ＡＦ位置移動指示は、リモコン５０４側のタッチパネル５０８ａでのタッチ位置の移動（タッチムーブ）が検出されたことに応じて、通信部５０３を介してデジタルカメラ３００側に送信される。ＡＦ位置移動指示があったと判定した場合は、Ｓ６０９へ進み、そうでない場合は、Ｓ６２０へ進む。
【０１０３】
Ｓ６０９では、システム制御部５０は、図３のＳ３１６と同様に、ＡＦ座標Ｂに表示されているＡＦ枠４０１をＡＦ位置変更中であることを示す変更中ＡＦ枠４０２に変えて表示する。
【０１０４】
Ｓ６１０では、システム制御部５０は、通信部５０６を介してリモコン５０４におけるタッチムーブの座標移動量Ｃ´（移動距離と方向）を取得する。タッチムーブの移動量に関する情報は、Ｓ６０７において受信してもよいし、リモコン５０４側でタッチムーブが検知される毎にタッチムーブの移動量を受信するようにしてもよい。
【０１０５】
Ｓ６１１では、システム制御部５０は、ＡＦ座標ＢとＳ６１０で受信した座標移動量Ｃ´から仮ＡＦ座標Ｐを算出し、仮ＡＦ枠４０３を表示する。仮ＡＦ座標ＰはＡＦ座標Ｂと座標移動量Ｃ´とを合計した座標である。図４（ｂ）に示すように、算出された仮ＡＦ座標Ｐの位置には仮ＡＦ枠４０３を表示する。
【０１０６】
Ｓ６１２では、システム制御部５０は、ＡＦ位置移動終了指示を受け付けたか否かを判定する。ＡＦ位置移動終了指示は、リモコン５０４のタッチパネル５０８ａからのタッチアップであり、Ｓ６０８で受信したＡＦ位置移動指示のタッチムーブを終了する操作が受け付けられたことに応じて通信部５０３を介してデジタルカメラ３００側に送信される。
【０１０７】
Ｓ６１３では、システム制御部５０は、動画の撮影中（動画記録中）であるか否かを判定する。動画の撮影中（記録中）である途判定した場合は、Ｓ６１４へ進み、そうでない場合（静止画の撮影前後、動画記録待機中）は、Ｓ６２１へ進む。
【０１０８】
Ｓ６１４〜Ｓ６１７の処理は、図３のＳ３２２〜Ｓ３２５と同様の処理である。
【０１０９】
Ｓ６１８では、システム制御部５０は、通信部５０６を介してリモコン５０４からの指示があったか否かを判定する。リモコン５０４からの指示があったと判定した場合は、Ｓ６１９へ進み、そうでない場合は、Ｓ６１５へ戻る。このように、ＡＦ位置移動終了指示を受信してから時間βが経過するまで、リモコン５０４側の次の指示を待つ。
【０１１０】
Ｓ６１９では、システム制御部５０は、時間Ｓをリセットし、Ｓ＝０にする。
【０１１１】
Ｓ６２０では、システム制御部５０は、Ｓ６０７において受信したリモコン５０４側からの指示がＡＦ位置決定指示であったか否かを判定する。ＡＦ位置決定指示は、リモコン５０４側のタッチパネル５０８ａでのタップ操作が検出されたことに応じて、通信部５０３を介してデジタルカメラ３００側に送信される。ＡＦ位置決定指示があったと判定した場合は、Ｓ６２１へ進み、そうでない場合は、Ｓ６２５へ進む。
【０１１２】
Ｓ６２１〜Ｓ６２６の処理は、図３のＳ３３４〜Ｓ３３９と同様の処理である。
【０１１３】
以上、説明した実施形態によれば、動画記録中にも、そうでない場合にも操作性良くＡＦ位置の変更をすることができる。動画の記録中であれば（Ｓ６１３でＹｅｓであれば）、ＡＦ位置の移動操指示を受信してもすぐにＡＦ処理を行わずに決定操作に応じて変更された位置でのＡＦ処理を行う。また、動画記録中以外の場合（実施形態では、静止画の撮影前後、動画記録待機中であり、Ｓ６１３でＮｏと判定された場合）では、ＡＦ位置の移動操作が行われ、終了指示を受信したことに応じて、変更された位置でＡＦ処理を行う（Ｓ６２１〜Ｓ６２３）。
【０１１４】
また、リモコン５０４側の表示部に撮像画像を逐次送信し、表示された撮像画像の被写体へのタッチ操作で絶対座標によるＡＦ位置を指定するよりも、撮像画像の送受信を行わなくてもよい分、通信するデータ量が少ない。よって、データ通信の遅延によるタイミングのずれ等が起こりにくい。リモコン５０４での指示を受け付けると、離れた位置の表示部に表示される被写体の様子を見ながら適切なタイミングでＡＦ位置の移動指示をすることができる。
【０１１５】
＜第二実施形態の変形例＞
第二実施形態の変形例は、第二実施形態と同様にリモコン操作によるＡＦ処理の指示をする処理を示すが、行われたタッチ操作に応じた判定をする主体が異なる。第二実施形態ではリモコン５０４側が受け付けたタッチ操作に応じて、リモコン５０４側で対応する処理を判定し、デジタルカメラ３００側に処理をする指示を送信していた。第二実施形態の変形例では第二実施形態とは異なり、デジタルカメラ３００側がリモコン５０４側で検出された操作についてのコマンドを受け取り、受け取ったコマンドに対応する処理を行う。
【０１１６】
第二実施形態の変形例の実施形態を適用可能な撮像制御装置の一例としてのデジタルカメラ３００とリモコン５０４を示す図を図５に示す。デジタルカメラ３００とリモコン５０４の構成に関しては第二実施形態と同様である。
【０１１７】
図７及び図８を用いて第二実施形態の変形例におけるＡＦ位置移動処理について説明する。図７の処理は、不揮発性メモリ５１１に記録されたプログラムをシステムメモリ５１０に展開してシステム制御部５０９が実行することで実現する。図７はリモコン５０４側の処理を示し、図８はデジタルカメラ３００側の処理を示す。
【０１１８】
まず、図７のリモコン５０４側のＡＦ位置移動指示処理について説明する。なお、この処理は、デジタルカメラ３００とリモコン５０４に電源が入り、撮影モードに切り替えられ、リモコン５０４とデジタルカメラ３００との通信が確立すると開始する。つまり、リモコン側のタッチパネルでタッチ操作を受付可能になり、デジタルカメラ側でリモコンからの指示を受付、リモコン側の指示に応じてＡＦ処理ができるようになると開始する。
【０１１９】
Ｓ７０１では、システム制御部５０９は、タッチパネル５０８ａへのタッチダウンがされたか否かを判定する。タッチダウンがされたと判定した場合は、Ｓ７０２へ進み、そうでない場合は、Ｓ７２４へ進む。
【０１２０】
Ｓ７０２〜Ｓ７０５の処理は、図３のＳ３１２〜Ｓ３１５と同様の処理である。
【０１２１】
Ｓ７０６では、システム制御部５０９は、ＡＦ枠変更中コマンドを、通信部５０３を介してデジタルカメラ３００側に送信する。
【０１２２】
Ｓ７０７〜Ｓ７０８の処理は、図３のＳ３１７〜Ｓ３１８と同様の処理である。
【０１２３】
Ｓ７０９では、システム制御部５０９は、Ｓ７０８で算出した相対座標Ｃを、通信部５０３を介してデジタルカメラ３００側に送信する。
【０１２４】
Ｓ７１０では、システム制御部５０９は、タッチパネル５０８ａからのタッチアップがされたか否かを判定する。タッチアップがされたと判定した場合は、Ｓ７１１へ進み、そうでない場合は、Ｓ７０７に戻る。
【０１２５】
Ｓ７１１では、システム制御部５０９は、デジタルカメラ３００の記録状態に関する情報を取得する。記録状態は、動画の記録中か、動画記録待機中か、静止画の撮影を行っているか、のいずれかである。
【０１２６】
Ｓ７１２では、システム制御部５０９は、Ｓ７１１において取得した記録状態に関する情報より、デジタルカメラ３００が動画の記録中か否かを判定する。動画の記録中であると判定された場合は、Ｓ７１３へ進み、そうでない場合（動画記録待機中か、静止画の撮影中）は、Ｓ７２３へ進む。
【０１２７】
Ｓ７１３〜Ｓ７１４の処理は、図３のＳ３２２〜Ｓ３２３と同様の処理である。
【０１２８】
Ｓ７１５では、システム制御部５０９は、リセットコマンドを、通信部５０３を介してデジタルカメラ３００側に送信する。リセットコマンドは、Ｓ７０９で送信した相対座標Ｃに関する操作が無かったものとするコマンドである。
【０１２９】
Ｓ７１６〜Ｓ７１８の処理は、図３のＳ３２５〜Ｓ３２７と同様の処理である。
【０１３０】
Ｓ７１９〜Ｓ７２１の処理は、図３のＳ３２８〜Ｓ３３０と同様の処理である。
【０１３１】
Ｓ７２２では、システム制御部５０９は、Ｓ７１５と同様に、リセットコマンドを、通信部５０３を介してデジタルカメラ３００側に送信する。
【０１３２】
Ｓ７２３では、システム制御部５０９は、ＡＦ座標Ｂ書き換えコマンド（特定コマンド）を、通信部５０３を介してデジタルカメラ３００側に送信する。すなわち、ＡＦ座標ＢをＳ７０１における座標から、Ｓ７０９で送信した相対座標Ｃに応じて算出された座標に書き替えるように指示をする。言い換えれば、ユーザ操作によって、ＡＦ座標を切り替える指示があったコマンドを送信する。
【０１３３】
Ｓ７２４は、図３のＳ３３９と同様の処理である。
【０１３４】
次に、図８のデジタルカメラ３００側のＡＦ位置移動指示処理について説明する。なお、この処理は、デジタルカメラ３００とリモコン５０４に電源が入り、撮影モードに切り替えられ、リモコン５０４とデジタルカメラ３００との通信が確立すると開始する。つまり、リモコン側のタッチパネルでタッチ操作を受付可能になり、デジタルカメラ側でリモコンからの指示を受付、リモコン側の指示に応じてＡＦ処理ができるようになると開始する。図８の処理は、不揮発性メモリ５６に記録されたプログラムをシステムメモリ５２に展開してシステム制御部５０が実行することで実現する。
【０１３５】
Ｓ８０１〜Ｓ８０４の処理は、図３のＳ３００〜Ｓ３０３と同様の処理である。
【０１３６】
Ｓ８０５〜Ｓ８０７の処理は、図３のＳ３０４〜Ｓ３０６の処理と同様の処理である。
【０１３７】
Ｓ８０８〜Ｓ８０９の処理は、図３のＳ３０８〜Ｓ３０９の処理と同様の処理である。
【０１３８】
Ｓ８１０では、システム制御部５０は、記録状態に関する情報を、通信部５０６を介して、リモコン５０４に送信する。
【０１３９】
Ｓ８１１では、システム制御部５０は、ＡＦ枠変更中コマンドが送信されたか否かを判定する。ＡＦ枠変更中コマンドが送信されたと判定した場合は、Ｓ８１２へ進み、そうでない場合は、Ｓ８１３へ進む。
【０１４０】
Ｓ８１２では、システム制御部５０は、図３のＳ３１６と同様に、ＡＦ座標Ｂに表示されているＡＦ枠をＡＦ位置変更中であることを示す変更中ＡＦ枠４０２に変えて表示する。
【０１４１】
Ｓ８１３では、システム制御部５０は、相対座標Ｃに関する情報を受信したか否かを判定する。相対座標Ｃに関する情報を受信したと判定した場合は、Ｓ８１４へ進み、そうでない場合は、Ｓ８１５へ進む。
【０１４２】
Ｓ８１４では、システム制御部５０は、図３のＳ３１９と同様に、ＡＦ座標ＢとＳ３１８で求めた相対座標Ｃから仮ＡＦ座標Ｐを算出し、仮ＡＦ座標Ｐに仮ＡＦ枠４０３を表示する。仮ＡＦ座標ＰはＡＦ座標Ｂと相対座標Ｃとを合計した座標であり、（（Ｘｂ＋Ｘｃ）、（Ｙｂ＋Ｙｃ））である。
【０１４３】
Ｓ８１５では、システム制御部５０は、リセットコマンドを受信したか否かを判定する。リセットコマンドを受信したと判定した場合は、Ｓ８１６へ進み、そうでない場合は、Ｓ８１７へ進む。
【０１４４】
Ｓ８１６では、システム制御部５０は、図３のＳ３２４またはＳ３３１と同様に、図４（ｂ）においてＡＦ座標Ｂに表示していた変更中ＡＦ枠４０２をＡＦ枠４０１に変え、図４（ａ）のようにＡＦ座標ＢにＡＦ枠４０１を表示する。また、仮ＡＦ枠４０３を非表示にする。
【０１４５】
Ｓ８１７では、システム制御部５０は、ＡＦ座標Ｂを書き替えるコマンドを受信したか否かを判定する。ＡＦ座標Ｂを書き替えるコマンドを受信したと判定した場合は、Ｓ８１８へ進み、そうでない場合は、Ｓ８２１へ進む。
【０１４６】
Ｓ８１８〜Ｓ８２０の処理は、図３のＳ３３４〜Ｓ３３６と同様の処理である。
【０１４７】
Ｓ８２１〜Ｓ８２３の処理は、図３のＳ３３７〜Ｓ３３９と同様の処理である。
【０１４８】
以上、説明した実施形態によれば、動画記録中にも、そうでない場合にも操作性良くＡＦ位置の変更をすることができる。動画の記録中であれば（Ｓ７１２でＹｅｓであれば）、ＡＦ位置の移動操指示を受信してもすぐにＡＦ処理を行わずに決定操作に応じて変更された位置でのＡＦ処理を行う。また、動画記録中以外（実施形態では、静止画の撮影前後、動画記録待機中であり、Ｓ７１２でＮｏと判定）の場合では、ＡＦ位置の移動操作が行われ、終了指示を受信すると（Ｓ８１７でＹｅｓ）、変更された位置でＡＦ処理を行う（Ｓ８１８〜Ｓ８２０）。
【０１４９】
また、リモコン５０４側の表示部に撮像画像を逐次送信し、表示された撮像画像の被写体へのタッチ操作で絶対座標によるＡＦ位置を指定するよりも、撮像画像の送受信を行わなくてもよい分、通信するデータ量が少ない。よって、データ通信の遅延によるタイミングのずれ等が起こりにくい。リモコン５０４での指示を受け付けると、離れた位置の表示部に表示される被写体の様子を見ながら適切なタイミングでＡＦ位置の移動指示をすることができる。
【０１５０】
なお、ＡＦ枠４０１、変更中ＡＦ枠４０２、仮ＡＦ枠４０３の表示形態は、本実施形態で示したものに限らず、それぞれが識別可能に表示されていればよい。つまり、枠の色を変えたり、点滅をしたり、枠の線の太さを変えたり、枠内を色で塗ったりしてもよく、枠でなくて点や矢印で位置を示すようにしてもよい。
【０１５１】
また、上述の各種実施形態では、ＡＦ位置の移動操作をタッチムーブ、決定操作をタップにより行うものと説明したがこれに限らず、他のタッチ操作や操作部７０に含まれるボタンへの操作でもよい。すなわち、ＡＦ位置の移動操作は、十字キー７４の押下やメイン電子ダイヤル７１、サブ電子ダイヤル７３への回転操作であってもよい。また、決定操作は、ＳＥＴボタン７５の押下やタッチパネル７０ａへのダブルタップ、マルチタッチ等でも良い。
【０１５２】
なお、上述の各種実施形態では、ＡＦ処理を行う位置を移動する操作について説明をしたが、これに限らず様々な処理を行う位置（領域）を設定（選択）に適用可能である。例えば、特定の人物の顔に合焦する顔ＡＦ枠の選択や、拡大位置（ズームイン、ズームアウト）の選択等に適用可能である。さらに、ＡＥ（オートエクスポージャー、自動露出設定）、ＷＢ（ホワイトバランス）といった処理を行う際に、処理を行う際の基準となる被写体や位置や領域を選択する場合にも適用可能である。
【０１５３】
なお、上述の各種実施形態では、絶対座標設定の場合には、タッチダウン座標ＯにＡＦ座標Ｂを設定し、ＡＦ処理するものとして説明したが、以下のようにしてもよい。つまり、絶対座標設定で動画撮影中でなければ、タッチダウンに応じてタッチダウン座標ＯにＡＦ処理し、動画撮影中であれば、タッチアップに応じて、タッチアップした座標（タッチアップ直前のタッチ座標）にＡＦ処理するようにしてもよい。
【０１５４】
さらに、ファインダ１６を覗いた状態で絶対座標で操作する場合（表示部２８は非表示）には、タッチアップでＡＦ座標Ｂを設定し、タッチパネル７０ａ（表示部２８）を見た状態で絶対座標で操作する場合にはタッチダウン位置にＡＦ座標Ｂを設定してもよい。また、動画の撮影中には、上述した表示部２８への表示状態によって、タッチダウンでＡＦ座標Ｂ設定するのか、タッチアップでＡＦ座標Ｂを設定するのかを決め、その他の場合には、表示状態に関わらずタッチダウンでＡＦ座標Ｂを設定してもよい。
【０１５５】
なお、システム制御部５０、５０９が行うものとして説明した上述の各フローチャートの制御は１つのハードウェアが行ってもよいし、複数のハードウェアが処理を分担することで、装置全体の制御を行ってもよい。
【０１５６】
また、上述した各種実施形態においては、本発明をデジタルカメラ１００、２００、リモコン５０４に適用した場合を例にして説明した。しかしながら、これはこの例に限定されず、ＡＦ処理、ＡＥ処理、ＡＷＢ処理といった指定位置に基づいた処理を行う位置を変更する制御を行うことができる撮像制御装置であれば適用可能である。即ち、本発明はパーソナルコンピュータ（ＰＣ）や、携帯電話端末や携帯型の画像ビューワ、デジタルフォトフレーム、音楽プレーヤー、ゲーム機、電子ブックリーダー、タブレットＰＣ、スマートフォン、家電装置等に適用可能である。また、デジタルカメラ等のＡＦ情報を有線または無線通信を介して受信して表示し、リモートでデジタルカメラ（ネットワークカメラを含む）を制御するスマートフォンやタブレットＰＣ、デスクトップＰＣなどの装置にも適用可能である。
【０１５７】
（他の実施形態）
本発明は、以下の処理を実行することによっても実現される。即ち、上述した実施形態の機能を実現するソフトウェア（プログラム）をネットワーク又は各種記録媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記録媒体は本発明を構成することになる。
【図１】
0006614943.tif 000002
【図２】
0006614943.tif 000003
【図３】
0006614943.tif 000004
【図４】
0006614943.tif 000005
【図５】
0006614943.tif 000006
【図６】
0006614943.tif 000007
【図７】
0006614943.tif 000008
【図８】
0006614943.tif 000009